(57)【特許請求の範囲】
【請求項１】
シャッタ作動の開始前に所定の絞り値に閉鎖羽根の開口位置を設定し、露出羽根によってシャッタの露出作動を開始するとともに閉鎖羽根を閉鎖位置に変位させて露出作動を終了するように構成したカメラ用シャッタにおいて、
前記露出羽根を作動する第一主動カムと、前記第一主動カムをセット位置に係止する第一主動カム爪と、前記閉鎖羽根を開口閉鎖位置へ作動する閉鎖部材と、前期閉鎖部材を作動して前記閉鎖羽根を閉鎖位置へ変位させる第二主動カムと、前記第二主動カムをセット位置に係止する第二主動カム爪と、前記第一主動カム爪および前記第二主動カム爪の作動タイミングを制御する単一の電磁石とを備え、
前記第一主動カムが前記第一主動カム爪に係止された位置において前記第二主動カムは前記第一主動カムによって前記第二主動カム爪との隙間を確保して保持されるように構成するとともに、シャッタレリーズ作動に連動して制御される前記電磁石の第一作動によって、前記第二主動カム爪を退避位置から係止位置へ変位させた後に前記第一主動カム爪を作動して前記第一主動カムが釈放されて露出作動を開始し、所定時間の経過後に前記電磁石の第二作動によって前記第二主動カム爪を作動して前記閉鎖部材により前記閉鎖羽根を閉鎖位置に変位させて露出作動を終了するように構成したことを特徴とするカメラ用シャッタ。
【請求項２】
シャッタ作動の開始前に所定の絞り値に閉鎖羽根の開口位置を設定し、露出羽根によってシャッタの露出作動を開始するとともに閉鎖羽根を閉鎖位置に変位させて露出作動を終了するように構成したカメラ用シャッタにおいて、
前記露出羽根を作動する第一主動カムと、前記第一主動カムをセット位置に係止する第一主動カム爪と、前記閉鎖羽根を開口閉鎖位置へ作動する閉鎖部材と、前期閉鎖部材を作動して前記閉鎖羽根を閉鎖位置へ変位させる第二主動カムと、前記第二主動カムをセット位置に係止する第二主動カム爪と、前記第二主動カム爪と相前後して逆方向に作動されて前記第二主動カムを係止する第二主動カム補助爪と、前記第一主動カム爪および前記第二主動カム爪ならびに前記第二主動カム補助爪の作動タイミングを制御する単一の電磁石とを備え、
前記第一主動カムが前記第一主動カム爪に係止された位置において前記第二主動カムは前記第一主動カムによって前記第二主動カム爪との隙間を確保して保持されるように構成するとともに、シャッタレリーズ作動に連動して制御される前記電磁石の第一作動によって、前記第二主動カム爪を退避位置から係止位置へ変位させた後に前記第一主動カム爪を作動して前記第一主動カムが釈放されて露出作動を開始するとともに前記第一主動カムにより前記第二主動カム補助爪による前記第二主動カムの係止を解除し、所定時間の経過後に前記電磁石の第二作動によって前記第二主動カム爪を作動して前記閉鎖部材により前記閉鎖羽根を閉鎖位置に変位させて露出作動を終了するように構成したことを特徴とするカメラ用シャッタ。
【請求項３】
シャッタ作動の開始前に所定の絞り値に閉鎖羽根の開口位置を設定し、露出羽根によってシャッタの露出作動を開始するとともに閉鎖羽根を閉鎖位置に変位させて露出作動を終了するように構成したカメラ用シャッタにおいて、
前記露出羽根を作動する第一主動カムと、前記第一主動カムをセット位置に係止する第一主動カム爪と、前記閉鎖羽根を開口閉鎖位置へ作動する閉鎖部材と、前期閉鎖部材を作動して前記閉鎖羽根を閉鎖位置へ変位させる第二主動カムと、前記第二主動カムをセット位置に係止する第二主動カム爪と、前記第一主動カム爪および前記第二主動カム爪の作動タイミングを制御する単一の電磁石と、前記電磁石により吸引または離反位置を制御される鉄片レバーとを備え、
前記第一主動カムが前記第一主動カム爪に係止された位置において前記第二主動カムは前記第一主動カムによって前記第二主動カム爪との隙間を確保して保持されるように構成するとともに、シャッタレリーズ作動に連動して制御される前記電磁石の第一作動によって前記鉄片レバーが作動されて、前記第二主動カム爪を退避位置から係止位置へ変位させた後に前記第一主動カム爪を作動して前記第一主動カムが釈放されて露出作動を開始し、所定時間の経過後に前記電磁石の第二作動によって前記鉄片レバーが作動されて前記第二主動カム爪を作動して前記閉鎖部材により前記閉鎖羽根を閉鎖位置に変位させて露出作動を終了するように構成したことを特徴とするカメラ用シャッタ。
【請求項４】
シャッタ作動の開始前に所定の絞り値に閉鎖羽根の開口位置を設定し、露出羽根によってシャッタの露出作動を開始するとともに閉鎖羽根を閉鎖位置に変位させて露出作動を終了するように構成したカメラ用シャッタにおいて、
前記露出羽根を作動する第一主動カムと、前記第一主動カムをセット位置に係止する第一主動カム爪と、前記閉鎖羽根を開口閉鎖位置へ作動する閉鎖部材と、前期閉鎖部材を作動して前記閉鎖羽根を閉鎖位置へ変位させる第二主動カムと、前記第二主動カムをセット位置に係止する第二主動カム爪と、前記第二主動カム爪と相前後して逆方向に作動されて前記第二主動カムを係止する第二主動カム補助爪と、前記第一主動カム爪および前記第二主動カム爪ならびに前記第二主動カム補助爪の作動タイミングを制御する単一の電磁石と、前記電磁石により吸引または離反位置を制御される鉄片レバーとを備え、
前記第一主動カムが前記第一主動カム爪に係止された位置において前記第二主動カムは前記第一主動カムによって前記第二主動カム爪との隙間を確保して保持されるように構成するとともに、シャッタレリーズ作動に連動して制御される前記電磁石の第一作動によって前記鉄片レバーが作動されて、前記第二主動カム爪を退避位置から係止位置へ変位させた後に前記第一主動カム爪を作動して前記第一主動カムが釈放されて露出作動を開始するとともに前記第一主動カムにより前記第二主動カム補助爪による前記第二主動カムの係止を解除し、所定時間の経過後に前記電磁石の第二作動によって前記鉄片レバーが作動されて前記第二主動カム爪を作動して前記閉鎖部材により前記閉鎖羽根を閉鎖位置に変位させて露出作動を終了するように構成したことを特徴とするカメラ用シャッタ。
【発明の詳細な説明】
【技術分野】
【０００１】
本発明は、カメラ用シャッタの開閉機構に関する。
【背景技術】
【０００２】
従来におけるカメラ用シャッタの開閉機構としては、例えば特開平５−２１０１４４号公報に記載されているものが知られている。当該特許公報に開示された技術内容によれば、図１０に示すように、単一のモータｍにより作動される駆動部材ｄと、モータｍの正転により駆動部材ｄを介して閉鎖羽根ｃｐを所定値に設定する絞り部材ｎと、閉鎖羽根ｃｐを閉鎖位置へ作動する閉鎖部材ｃｍと、開放方向に付勢されたシャッタ羽根ｓとを備え、駆動部材ｄは、絞り設定経過におけるモータｍの逆転作動により、所定絞りを設定すると共にシャッタ羽根ｓを解放し、続くモータｍの作動により閉鎖部材ｃｍの係止を解いて閉鎖羽根ｃｐを閉鎖させるように構成している。
【先行技術文献】
【特許文献】
【０００３】
【特許文献１】特開平５−２１０１４４号公報
【発明の概要】
【発明が解決しようとする課題】
【０００４】
上記従来技術においては、単一のモータでモータ駆動シャッタの駆動制御と自動焦点調節とを行うもので、モータの正転により駆動部材を介して絞り羽根を作動しその逆転によって所定値に設定するとともに、シャッタ羽根を解放し、続くモータの作動により閉鎖部材の係止を解いて絞り羽根を閉鎖させるものである。
【０００５】
しかしながら、単一のモータの正転と逆転とによって絞り値の設定とシャッタ羽根の開放作動とを行い、さらに絞り羽根の閉鎖作動を制御するため、それぞれの部品相互の隙間および各部品間の係合状態に基因する作動の不安定さが生じ易く、さらに故障の原因にもなる。
【０００６】
また、これとは別にシャッタ羽根の開放作動の開始を第一の電磁石によって制御し、さらに絞り羽根の閉鎖作動を第二の電磁石によって制御する方法も考えられるが、構成が複雑になり作動の不安定さと故障を生じやすくなる恐れがある。
【０００７】
本発明はこのような不安定な隙間を生じさせることなく、安定したシャッタ作動を行うことの出来るカメラ用シャッタを提供することである。
【課題を解決するための手段】
【０００８】
上記の目的を達成するため請求項１に記載の発明は、シャッタ作動の開始前に所定の絞り値に閉鎖羽根の開口位置を設定し、露出羽根によってシャッタの露出作動を開始するとともに閉鎖羽根を閉鎖位置に変位させて露出作動を終了するように構成したカメラ用シャッタにおいて、前記露出羽根を作動する第一主動カムと、前記第一主動カムをセット位置に係止する第一主動カム爪と、前記閉鎖羽根を開口閉鎖位置へ作動する閉鎖部材と、前期閉鎖部材を作動して前記閉鎖羽根を閉鎖位置へ変位させる第二主動カムと、前記第二主動カムをセット位置に係止する第二主動カム爪と、前記第一主動カム爪および前記第二主動カム爪の作動タイミングを制御する単一の電磁石とを備え、前記第一主動カムが前記第一主動カム爪に係止された位置において前記第二主動カムは前記第一主動カムによって前記第二主動カム爪との隙間を確保して保持されるように構成するとともに、シャッタレリーズ作動に連動して制御される前記電磁石の第一作動によって、前記第二主動カム爪を退避位置から係止位置へ変位させた後に前記第一主動カム爪を作動して前記第一主動カムが釈放されて露出作動を開始し、所定時間の経過後に前記電磁石の第二作動によって前記第二主動カム爪を作動して前記閉鎖部材により前記閉鎖羽根を閉鎖位置に変位させて露出作動を終了するように構成される。
【０００９】
また、請求項２に記載の発明は、シャッタ作動の開始前に所定の絞り値に閉鎖羽根の開口位置を設定し、露出羽根によってシャッタの露出作動を開始するとともに閉鎖羽根を閉鎖位置に変位させて露出作動を終了するように構成したカメラ用シャッタにおいて、さらに前記第二主動カム爪のほかに、前記第二主動カム爪と相前後して逆方向に作動されて前記第二主動カムを係止する第二主動カム補助爪を備え、前記第一主動カムが前記第一主動カム爪に係止された位置において前記第二主動カムは前記第一主動カムによって前記第二主動カム爪との隙間を確保して保持されるように構成するとともに、シャッタレリーズ作動に連動して制御される前記電磁石の第一作動によって、前記第二主動カム爪を退避位置から係止位置へ変位させた後に前記第一主動カム爪を作動して前記第一主動カムが釈放されて露出作動を開始するとともに前記第一主動カムにより前記第二主動カム補助爪による前記第二主動カムの係止を解除し、所定時間の経過後に前記電磁石の第二作動によって前記第二主動カム爪を作動して前記閉鎖部材により前記閉鎖羽根を閉鎖位置に変位させて露出作動を終了するように構成される。
【００１０】
さらに、請求項３に記載の発明は、シャッタ作動の開始前に所定の絞り値に閉鎖羽根の開口位置を設定し、露出羽根によってシャッタの露出作動を開始するとともに閉鎖羽根を閉鎖位置に変位させて露出作動を終了するように構成したカメラ用シャッタにおいて、さらに前記電磁石により吸引または離反位置を制御される鉄片レバーを備え、前記第一主動カムが前記第一主動カム爪に係止された位置において前記第二主動カムは前記第一主動カムによって前記第二主動カム爪との隙間を確保して保持されるように構成するとともに、シャッタレリーズ作動に連動して制御される前記電磁石の第一作動によって前記鉄片レバーが作動されて、前記第二主動カム爪を退避位置から係止位置へ変位させた後に前記第一主動カム爪を作動して前記第一主動カムが釈放されて露出作動を開始し、所定時間の経過後に前記電磁石の第二作動によって前記鉄片レバーが作動されて前記第二主動カム爪を作動して前記閉鎖部材により前記閉鎖羽根を閉鎖位置に変位させて露出作動を終了するように構成される。
【００１１】
さらに、請求項４に記載の発明は、シャッタ作動の開始前に所定の絞り値に閉鎖羽根の開口位置を設定し、露出羽根によってシャッタの露出作動を開始するとともに閉鎖羽根を閉鎖位置に変位させて露出作動を終了するように構成したカメラ用シャッタにおいて、さらに前記第二主動カム爪と相前後して逆方向に作動されて前記第二主動カムを係止する第二主動カム補助爪と、前記電磁石により吸引または離反位置を制御される鉄片レバーとを備え、前記第一主動カムが前記第一主動カム爪に係止された位置において前記第二主動カムは前記第一主動カムによって前記第二主動カム爪との隙間を確保して保持されるように構成するとともに、シャッタレリーズ作動に連動して制御される前記電磁石の第一作動によって前記鉄片レバーが作動されて、前記第二主動カム爪を退避位置から係止位置へ変位させた後に前記第一主動カム爪を作動して前記第一主動カムが釈放されて露出作動を開始するとともに前記第一主動カムにより前記第二主動カム補助爪による前記第二主動カムの係止を解除し、所定時間の経過後に前記電磁石の第二作動によって前記鉄片レバーが作動されて前記第二主動カム爪を作動して前記閉鎖部材により前記閉鎖羽根を閉鎖位置に変位させて露出作動を終了するように構成される。
【００１２】
さらに、別の実施態様として、シャッタ作動の開始前に所定の絞り値に閉鎖羽根の開口位置を設定し、露出羽根によってシャッタの露出作動を開始するとともに閉鎖羽根を閉鎖位置に変位させて露出作動を終了するカメラ用シャッタにおいて、前述の構成に加えて、露出羽根には二つのピンを植設し、一方のピンを固定部材に形成した長溝に嵌合させるとともに他方のピンを作動リングに形成した穴に嵌合するように構成し、シャッタ作動に際して作動リングが作動することによって他方のピンを移動させるとともに一方のピンが固定部材に形成した長溝に沿って作動することによって露出羽根を作動するように構成したカメラ用シャッタを提供できる。
【発明の効果】
【００１３】
請求項１に記載の発明によれば、シャッタ作動の開始前に所定の絞り値に閉鎖羽根の開口位置を設定し、露出羽根によってシャッタの露出作動を開始するとともに閉鎖羽根を閉鎖位置に変位させて露出作動を終了するように構成したカメラ用シャッタにおいて、
前記露出羽根を作動する第一主動カムと、前記第一主動カムをセット位置に係止する第一主動カム爪と、前記閉鎖羽根を開口閉鎖位置へ作動する閉鎖部材と、前期閉鎖部材を作動して前記閉鎖羽根を閉鎖位置へ変位させる第二主動カムと、前記第二主動カムをセット位置に係止する第二主動カム爪と、前記第一主動カム爪および前記第二主動カム爪の作動タイミングを制御する単一の電磁石とを備え、
前記第一主動カムが前記第一主動カム爪に係止された位置において前記第二主動カムは前記第一主動カムによって前記第二主動カム爪との隙間を確保して保持されるように構成するとともに、シャッタレリーズ作動に連動して制御される前記電磁石の第一作動によって、前記第二主動カム爪を退避位置から係止位置へ変位させた後に前記第一主動カム爪を作動して前記第一主動カムが釈放されて露出作動を開始し、所定時間の経過後に前記電磁石の第二作動によって前記第二主動カム爪を作動して前記閉鎖部材により前記閉鎖羽根を閉鎖位置に変位させて露出作動を終了するように構成したカメラ用シャッタを提供できる。
【００１４】
また、請求項２に記載の発明によれば、シャッタ作動の開始前に所定の絞り値に閉鎖羽根の開口位置を設定し、露出羽根によってシャッタの露出作動を開始するとともに閉鎖羽根を閉鎖位置に変位させて露出作動を終了するように構成したカメラ用シャッタにおいて、
さらに、前記第二主動カム爪の他に、前記第二主動カム爪と相前後して逆方向に作動されて前記第二主動カムを係止する第二主動カム補助爪を備え、
前記第一主動カムが前記第一主動カム爪に係止された位置において前記第二主動カムは前記第一主動カムによって前記第二主動カム爪との隙間を確保して保持されるように構成するとともに、シャッタレリーズ作動に連動して制御される前記電磁石の第一作動によって、前記第二主動カム爪を退避位置から係止位置へ変位させた後に前記第一主動カム爪を作動して前記第一主動カムが釈放されて露出作動を開始するとともに前記第一主動カムにより前記第二主動カム補助爪による前記第二主動カムの係止を解除し、所定時間の経過後に前記電磁石の第二作動によって前記第二主動カム爪を作動して前記閉鎖部材により前記閉鎖羽根を閉鎖位置に変位させて露出作動を終了するように構成したカメラ用シャッタを提供できる。
【００１５】
つまり、第二主動カム爪と相前後して逆方向に作動される第二主動カム補助爪を備えることにより、第二主動カム爪に荷担される第一主動カムと第二主動カムとの負荷が、第二主動カム爪と第二主動カム補助爪とにそれぞれ分担されるので、第一主動カム爪を作動する際の荷重が軽減されるので、作動が円滑に成り好ましい構成となる。
【００１６】
さらに、請求項３に記載の発明によれば、シャッタ作動の開始前に所定の絞り値に閉鎖羽根の開口位置を設定し、露出羽根によってシャッタの露出作動を開始するとともに閉鎖羽根を閉鎖位置に変位させて露出作動を終了するように構成したカメラ用シャッタにおいて、
さらに、前記電磁石により吸引または離反位置を制御される鉄片レバーを備え、
前記第一主動カムが前記第一主動カム爪に係止された位置において前記第二主動カムは前記第一主動カムによって前記第二主動カム爪との隙間を確保して保持されるように構成するとともに、シャッタレリーズ作動に連動して制御される前記電磁石の第一作動によって前記鉄片レバーが作動されて、前記第二主動カム爪を退避位置から係止位置へ変位させた後に前記第一主動カム爪を作動して前記第一主動カムが釈放されて露出作動を開始し、所定時間の経過後に前記電磁石の第二作動によって前記鉄片レバーが作動されて前記第二主動カム爪を作動して前記閉鎖部材により前記閉鎖羽根を閉鎖位置に変位させて露出作動を終了するように構成したカメラ用シャッタを提供できる。
【００１７】
つまり、プランジャーによって作動される鉄片レバーを、マグネットと第二主動カム爪および第一主動カム爪との間に介在させて作動するように構成したので、直接作動させる場合に比べて設計上のスペースの自由度が増すことになり効率的な設計が可能になる。
【００１８】
さらに、請求項４に記載の発明によれば、シャッタ作動の開始前に所定の絞り値に閉鎖羽根の開口位置を設定し、露出羽根によってシャッタの露出作動を開始するとともに閉鎖羽根を閉鎖位置に変位させて露出作動を終了するように構成したカメラ用シャッタにおいて、
前記第二主動カム爪の他に、前記第二主動カム爪と相前後して逆方向に作動されて前記第二主動カムを係止する第二主動カム補助爪と、前記電磁石により吸引または離反位置を制御される鉄片レバーとを備え、
前記第一主動カムが前記第一主動カム爪に係止された位置において前記第二主動カムは前記第一主動カムによって前記第二主動カム爪との隙間を確保して保持されるように構成するとともに、シャッタレリーズ作動に連動して制御される前記電磁石の第一作動によって前記鉄片レバーが作動されて、前記第二主動カム爪を退避位置から係止位置へ変位させた後に前記第一主動カム爪を作動して前記第一主動カムが釈放されて露出作動を開始するとともに前記第一主動カムにより前記第二主動カム補助爪による前記第二主動カムの係止を解除し、所定時間の経過後に前記電磁石の第二作動によって前記鉄片レバーが作動されて前記第二主動カム爪を作動して前記閉鎖部材により前記閉鎖羽根を閉鎖位置に変位させて露出作動を終了するように構成したカメラ用シャッタを提供できる。
【００１９】
つまり、このような構成をとることによって、作動が円滑になって好ましいうえに、設計上のスペースの自由度が増すことにもなって効率的な設計が可能になるというメリットがある。
【００２０】
さらに、別の実施態様として、露出羽根には二つのピンを植設し、一方のピンを固定部材に形成した長溝に嵌合させるとともに他方のピンを作動リングに形成した穴に嵌合するように構成し、
シャッタ作動に際して作動リングが作動することによって他方のピンを移動させるとともに一方のピンが固定部材に形成した長溝に沿って作動することによって露出羽根を作動するように構成したカメラ用シャッタを提供できる。
【００２１】
即ち、高速度で作動する露出羽根にはピンが形成され、これと摺動する面は固定部材である極めて厚い材料で構成されるから、従来の構成に比べると極めて大きな断面に摩擦熱がこの接触点に加わることになり、磨耗の発生が極めて軽減されシャッタの耐久性能が極度に向上させられる。
【図面の簡単な説明】
【００２２】
【図１】本発明の一実施例における構成を示す部分断面図である。
【図２】本発明の一実施例における主要部の全体位置を表す平面図を示す。
【図３】本発明の一実施例における主要部を拡大したチャージ状態の説明図である。
【図４】本発明の一実施例における図３の状態からレリーズ作動直後の平面図を示す。
【図５】本発明の一実施例における露出羽根の全開状態の平面図を示す。
【図６】本発明の一実施例における閉鎖作動開始直後の状態の平面図を示す。
【図７】本発明の一実施例における露出作動終了状態を示す主要部平面図である。
【図８】本発明の一実施例における閉鎖羽根が形成する絞り形状の平面図である。
【図９】本発明の他の実施例における一部を変更した全体位置を表す平面図を示す。
【図１０】従来例の構成を示す説明図である。
【発明を実施するための形態】
【００２３】
以下、本発明に係るカメラ用シャッタの好適な実施形態について図面を参照して説明する。まず、本発明に係るカメラ用シャッタの開閉機構の実施形態の構成について、図１乃至図９を参照しながら詳細に説明する。なお、以下の各図面に示すカメラ用シャッタの開閉機構は、レンズシャッタに適用した場合の実施形態を示している。
【００２４】
このカメラ用シャッタの開閉機構は、図１に示すように後群レンズＬＢ（図示省略）を取り付ける外枠１と前群レンズＬＦ（図示省略）を取り付ける地板２を結合した形態で構成される。そして、両者の間には露出羽根４と閉鎖羽根５との作動空間を仕切るための羽根押え板３が介在し、上側には露出羽根４、下側には閉鎖羽根５がそれぞれ組み込まれている。露出羽根４および閉鎖羽根５はそれぞれ五枚で構成されており、シャッタ開口６の周囲に配置されてシャッタ開口６の開閉作動を制御する。
【００２５】
図２は、地板２の上面側に配置された本発明の開閉機構の主要部平面図を示している。地板２の中央にはレンズを通過する光線が通過するシャッタ開口６が形成され、露出羽根４および閉鎖羽根５によってこのシャッタ開口６の開閉作動がなされる。なお、図２においては説明図を簡略化するため、露出羽根４および閉鎖羽根５はそれぞれ一枚だけ示し他の羽根を省略してある。
【００２６】
ここで図１に戻って、作動リング７を地板２に取り付けるためにリング押え板Ｌが地板２に固定され、閉鎖リング８を外枠３に取り付けるために閉鎖リング押え板Ｋが外枠に固定されている。リング押え板Ｌは、作動リング７と露出羽根４との作動時における干渉を防止し、また閉鎖リング押え板Ｋは、閉鎖リング８と閉鎖羽根５との作動時における干渉を防止する。
【００２７】
露出羽根４にはピン４ａ、４ｂが植設されており、ピン４ａがリング押え板Ｌの長溝Ｌａに嵌合され、作動ピン４ｂが作動リング７に形成した穴７ａに嵌合されている。また、作動リング７には作動ピン７ｂが植設され、シャッタ開口６の周りを回動可能に取り付けられている。
【００２８】
一方、閉鎖羽根５は絞り口径を規制する機能を有し、閉鎖羽根５にはピン５ａ、５ｂが植設されており、ピン５ａが閉鎖リング押え板Ｋの長溝Ｋａに嵌合され、作動ピン５ｂが閉鎖リング８に形成した穴８ａに嵌合されている。また、閉鎖部材としての機能を有する閉鎖リング８には、作動ピン８ｂ、８ｃが植設され、図示しないばねにより右旋回力が付勢されてシャッタ開口６の周りを回動可能に取り付けられている。作動ピン８ｃは絞りレバー９の一方の腕９ａに係合し、作動ピン８ｂは第三主動カム１０の溝に係合する。
【００２９】
絞りレバー９は、軸９ｂの周りを回動自在に地板２に取り付けられており、他方の腕９ｃに植設されたピン９ｄが公知の方法で適正絞り値を設定するように構成されている。つまり、マニュアル設定によって図示しないが公知のカムなどの部材を作動させてピン９ｄの位置を設定したり、明るさを検出して自動的に適正絞り値を選択する機構によってピン９ｄの位置を設定したりする方法が考えられる。このような設定によって、一方の腕９ａが作動ピン８ｃを介して閉鎖リング８を所定の絞り値に対応させた位置へ設定する。
【００３０】
第三主動カム１０は、軸１０ａによって地板２に回動自在に取り付けられており、閉鎖リング８の作動ピン８ｂを挟む溝１０ｂが形成された腕１０ｃと作動腕１０ｄとで構成されている。なお、第三主動カム１０は、作動ピン８ｂを挟む溝１０ｂによって作動位置が規制され、常時右旋回力を付勢されている。これは絞りレバー９のピン９ｄが変位される位置に対応して、閉鎖リング８の作動ピン８ｂが図示しないばねにより、シャッタ開口６の周りに右旋回力が付勢されて変位しているからである。
【００３１】
次に、シャッタの開閉作動を行う駆動部の構成について説明する。第一主動カム１１は、軸１１ａにより回動自在に地板２に取り付けられ、作動リング７のピン７ｂに嵌合する溝１１ｂおよび曲げ部１１ｃが形成されるとともに、図示しないばねにより右旋回力を付勢されている。さらに、係合面としての右端面１１ｄと左端面１１ｅとが形成され、上方に突出したチャージピン１１ｆが植設されている。
【００３２】
また、第二主動カム１２は、第一主動カム１１と同軸１１ａ上で回動自在に取り付けられ、図示しないばねにより右旋回力を付勢されており、ピン１２ａが第一主動カム１１の右端面１１ｄに当接してチャージ状態にあり、曲げ部１２ｂが形成されている。
【００３３】
第一主動カム爪１３は、軸１３ａにより回動自在に地板２に取り付けられ、係止部１３ｂと操作腕１３ｃとが形成されるとともに、図示しないばねにより左旋回力が付勢されている。そして、チャージ状態においては、係止部１３ｂが第一主動カム１１の曲げ部１１ｃに係合することによって第一主動カム１１の右方向回動を阻止している。
【００３４】
第二主動カム爪１４は、軸１４ａにより回動自在に地板２に取り付けられ、係止部１４ｂと操作腕１４ｃとが形成されるとともに、図示しないばねにより右旋回力が付勢されている。また、第二主動カム補助爪１５は軸１４ａにより回動自在に地板２に取り付けられ、図示しないばねにより右旋回力を付勢されており、係止部１５ａが曲げ部１２ｂに係合して第二主動カム１２を、図２および図３に示したチャージ状態に保持している。さらに、第二主動カム補助爪１５には、曲げ部１５ｂと第一主動カム１１の左端面１１ｅに係合する曲げ部１５ｃとが形成されている。しかも、作動開始前のチャージ状態では第二主動カム爪１４は、係止部１４ｂが第二主動カム１２の曲げ部１２ｂに係合しない退避状態にあり、鉄片レバー１６による作動開始に伴って係合位置へ変位するように構成されている。つまり、第二主動カム補助爪１５ａにより第二主動カム１２の曲げ部１２ｂが係止されているから、第二主動カム爪１４の係止部１４ｂは、曲げ部１２ｂとの間に僅かな隙間が確保されるように構成されている。
【００３５】
鉄片レバー１６は、軸１６ａにより回動自在に地板２に取り付けられており、第二主動カム爪１４の操作腕１４ｃおよび第一主動カム爪１３の操作腕１３ｃに係合する曲げ部１６ｂ、さらにマグネットＭのプランジャーＰに形成された溝Ｐａに嵌合するピン１６ｃが形成されている。
【００３６】
ここで、マグネットＭは、公知の電子制御回路（図示しない）に接続されており、シャッタの露出時間を制御すべく通電されることにより、プランジャーＰをマグネットＭ側へ吸引させ、さらには離反するように作動する。プランジャーＰがこのように作動することによって、溝Ｐａに嵌合するピン１６ｃを作動して鉄片レバー１６を左回動方向と右回動方向とに順次作動させる。
【００３７】
次に、シャッタ機構をチャージするための構成について説明する（図２および図８参照）。地板２に取り付けられた駆動モータＤが、シャッタ巻上げ電子回路（図示しない）によって作動されると、歯車輪列Ｒによって駆動モータＤの回転が順次減速される。そして、歯車輪列Ｒの最終段の歯車Ｒｎに植設されたピンＮで支持されたセット板１７が、歯車Ｒｎの回転に従って往復揺動される。
【００３８】
その結果、セット板１７の他端に形成された溝１７ａに嵌合するチャージピン１１ｆを、図５に示す作動終了位置から軸１１ａの周りに左旋回させ、第一主動カム１１を図２に示すチャージ状態に移行する。なお、歯車輪列Ｒの最終段の歯車Ｒｎは、駆動モータＤによる一回のチャージ作動に対してほぼ一回転するように歯車輪列Ｒによって減速される。
【００３９】
なお、銀塩フィルムを結像面に配置したフィルムカメラの場合には、露出羽根４がシャッタ開口６を閉鎖した後に、閉鎖羽根５が開放するように構成しなければならないが、ＣＣＤやＣＭＯＳなどのセンサーを結像面に配置したデジタルカメラの場合にはそのような配慮は必要ない。つまり、画像信号としてセンサーから取り出す作動は、後述するように露出終了信号に基づいて行われるのが一般的であり、且つそれで実用上十分だからである。
【００４０】
また、セット板１７の他端に形成された溝１７ａは、先端方向に長く伸びているのでシャッタ作動に際してチャージピン１１ｆが所定の作動範囲を移動しても、第一主動カム１１の作動を阻害することがないように構成されている。
【００４１】
次に、このように構成されたカメラ用シャッタの開閉機構の作動方法を、以下詳細に説明する。図２に示す状態からシャッタ作動開始のため、公知の電子制御回路に接続されたマグネットＭに通電されると、マグネットＭに生じる磁界によってプランジャーＰをマグネットＭ側へ吸引するように作動する。この作動によってプランジャーＰの溝Ｐａに嵌合したピン１６ｃが作動され、鉄片レバー１６が軸１６ａの周りに左旋回されて、曲げ部１６ｂに追従して第二主動カム爪１４の操作腕１４ｃが右回動方向へ作動し、それに伴って係止部１４ｂが第二主動カム１２の曲げ部１２ｂを係止する位置へ変位する。
【００４２】
続く鉄片レバー１６の左旋回によって、曲げ部１６ｂが第一主動カム爪１３の操作腕１３ｃに作用して、第一主動カム爪１３を軸１３ａの周りに右旋回させて、係止部１３ｂによる第一主動カム１１の曲げ部１１ｃの係止を解除する（図４参照）。この作動によって第一主動カム１１が右旋回して溝１１ｂに嵌合するピン７ｂを作動し、作動リング７を光軸の周りに左旋回させて露出羽根４を開放作動させる。
【００４３】
第一主動カム１１が右旋回し、作動の終期に左端面１１ｅによって第二主動カム補助爪１５の曲げ部１５ｃを押して、係止部１５ａによる第二主動カム１２の曲げ部１２ｂの係止を解除する（図５参照）。また、第一主動カム１１は、右旋回の終期に図示しないが公知の閃光同調スィッチを作動して閃光撮影を可能にする。この閃光同調スィッチ作動は、露出羽根４が全開した直後に閃光発光させる場合に利用される。
【００４４】
一方、曲げ部１２ｂが既に第二主動カム爪１４の係止部１４Ｂによって係止されているので、第二主動カム１２は右旋回することなく略図示位置に留まる。
【００４５】
シャッタの露出時間を制御すべく所定時間が経過し、マグネットＭへ逆方向の通電がなされることにより、プランジャーＰが元の位置へ急速に変位して溝Ｐａにより鉄片レバー１６のピン１６ｃを作動する。鉄片レバー１６は軸１６ａの周りに右旋回して、曲げ部１６ｂによって操作腕１４ｃに係合し、第二主動カム爪１４を軸１４ａの周りに左旋回させる。第二主動カム爪１４は、この作動によって曲げ部１２ｂが、係止部１４ｂによる係止を解除され（図６参照）、第二主動カム１２が右旋回を始め、ピン１２ａが作動腕１０ｄに作用して、第三主動カム１０を軸１０ａの周りに左旋回させる。
【００４６】
第三主動カム１０は、左旋回することによって腕１０ｃに形成された溝１０ｂが作動ピン８ｂを挟んで、閉鎖リング８を光軸周りに左旋回させ、所定の絞り口径を形成している閉鎖羽根５を閉鎖して露出作動を終了する。図７はこの状態を示している。
【００４７】
なお、第三主動カム１０が作動開始するのとほぼ同時に、図示しないが公知の第二閃光同調スィッチを作動して閃光撮影を可能にできる。この閃光同調スィッチ作動は、閉鎖羽根５が閉鎖作動を開始する直前に閃光発光させる場合に利用される。
【００４８】
ここで、前述の第一主動カム１１が右旋回の終期に閃光同調スィッチを作動させる場合と、第三主動カム１０が作動開始するとほぼ同時に第二の閃光同調スィッチを作動させる場合とを選択することによって、それぞれ異なる閃光発光の効果を得るようにすることが出来る。
【００４９】
以上の作動で一回のシャッタ作動が完了するが、この終了信号に基づいて駆動モータＤが作動を開始すると、歯車輪列Ｒによって歯車Ｒｎが旋回されて、セット板１７によってチャージピン１１ｆが、図５に示す位置から右方向へ変位され、第一主動カム１１、第二主動カム１２、第三作動カム１０がそれぞれ図２に示すチャージ位置へ変位される。
【００５０】
また、上記シャッタ作動が完了すると同時に、この作動完了信号に基づいてセンサーに蓄積された画像信号が画像処理回路に転送されて静止画像として保存処理される。
【００５１】
上記構成において、露出羽根４にはピン４ａ、４ｂが植設されており、ピン４ａがリング押え板Ｌの長溝Ｌａに嵌合され、作動ピン４ｂが作動リング７に形成した穴７ａに嵌合されている。また、閉鎖羽根５にはピン５ａ、５ｂが植設されており、ピン５ａが閉鎖リング押え板Ｋの長溝Ｋａに嵌合され、作動ピン５ｂが閉鎖リング８に形成した穴８ａに嵌合されている。
【００５２】
このような構成は従来シャッタの構成とは異なり、本発明において採用された新規な構成であって、シャッタの作動耐久性能を向上させる面から極めて有効な構成である。
【００５３】
つまり、高速度で作動する従来のシャッタ羽根においては、薄板で形成された羽根に丸穴と長溝とを形成し、この丸穴と長溝とに作動ピンおよび固定ピンを嵌合させて作動するように構成されていた。そのために、丸穴と作動ピンおよび長溝と固定ピンとの摺動によって羽根に生じる磨耗が極めて激しく、耐久性能の劣化が激しかった。即ち、薄板で形成された羽根の丸穴と長溝とが、それぞれ極めて薄い板の断面でピンと接触する構成であるから、摩擦熱が集中してこの接触点に加わることになっていた。
【００５４】
これに対して上記本発明の構成では、薄板で構成された露出羽根４にはピン４ａ、４ｂが植設されており、露出羽根４に比べて極めて厚い材料で構成されたリング押え板Ｌの長溝Ｌａにピン４ａが嵌合され、同様に作動リング７に形成した穴７ａに作動ピン４ｂが嵌合されている。即ち、高速度で作動する露出羽根４には二つのピンが植設され、これと摺動する面は極めて厚い材料で構成されているから、従来の構成に比べると極めて大きな断面積を占めるこの接触部に摩擦熱が加わることになり、磨耗の発生が極めて軽減されシャッタの耐久性能が極度に向上させられる。また、作動リング７と閉鎖羽根５との関係においても同様の構成であるからその効果も同様に顕著なものが見られる。
【００５５】
ここで上記説明において、リング押え板Ｌが作動リング７と露出羽根４との作動時における干渉を防止し、また閉鎖リング押え板Ｋが閉鎖リング８と閉鎖羽根５との作動時における干渉を防止する効果を有する。この干渉を防止する効果を有する機能が、リング押え板Ｌおよび閉鎖リング押え板Ｋを、地板２または外枠１に直接ねじ止めまたはバヨネット取り付けなどによって構成されるならば、リング押え板Ｌおよび閉鎖リング押え板Ｋを省略できる。そしてその場合には、長溝Ｌａ、Ｋａは地板２または外枠３などに形成されることになる。さらに、作動リング側に穴を形成し固定部に長溝を形成した実施形態を示したが、これに限定されることなく作動リング側に長溝を形成し固定部に穴を形成しても本発明を実施できる。
【００５６】
以上、本発明の技術思想の具現化に係わる実施形態について説明したが、本発明は上記実施形態に限定されるものではなく、本発明の技術思想の範囲内で適宜実施形態を変更して実施することができる。
【００５７】
例えば、上記実施形態における鉄片レバー１６を削除することによって、プランジャーＰが第二主動カム爪１４の操作腕１４ｃおよび第一主動カム爪１３の操作腕１３ｃを直接作動するように構成することが可能である。この場合には上記説明におけるプランジャーＰの作動方向が、上記の場合とは逆になることは容易に理解できるであろう。
【００５８】
また、第三主動カム１０は、単なる方向変換手段であって発明の必須の構成要件ではない。即ち、閉鎖リング８に植設した作動ピン８ｂを第二主動カム１２の近傍に配置して、直接第二主動カム１２によって作動するように構成することによって同一の作用効果を得ることが出来る。
【００５９】
さらに、マグネットＭに対する通電によって、プランジャーＰをマグネットＭに吸引させた後に、非通電にすることによって再び復帰させるように構成すること、或はマグネットＭには互いに巻き方向が逆になるように二つのコイルを巻装し、この二つのコイルに順次通電することによって、プランジャーＰを往復作動させるように構成することも出来る。また、プランジャーＰまたはマグネットＭの一部に永久磁石を介在させるように構成して、コイルへの通電によって両者が相互に吸引または離反するように制御する方法も適用できる。
つまり、マグネット(電磁石)Ｍの構成としては、第一作動によって第一主動カム１１を作動して露出羽根４によりシャッタの露出作動を開始し、続いて第二作動によって第二主動カム１２を作動して閉鎖羽根５を作動し、露出作動を終了させるように構成できる。
【００６０】
また、図９に示すように、上記実施形態における第二主動カム補助爪１５を削除することによって、第二主動カム爪１４が直接第二主動カム１２の係止と解除とを制御するように構成することが可能である。即ち、第二主動カム補助爪１５を削除した場合においても、第一主動カム１１の右端面１１ｄによって第二主動カム１２のピン１２ｄが図３に示す位置にあり、鉄片レバー１６の作動に伴って第二主動カム爪１４の係止部１４ｂは、曲げ部１２ｂを係止する位置へ変位可能である。従って、その後の作動は上記の場合と同様に行うことが出来る。
【符号の説明】
【００６１】
１……外枠
２……地板
３……羽根押え板
４……露出羽根
５……閉鎖羽根
６……シャッタ開口
７……作動リング
８……閉鎖リング（閉鎖部材）
９……絞りレバー
１０……第三主動カム
１１……第一主動カム
１２……第二主動カム
１３……第一主動カム爪
１４……第二主動カム爪
１５……第二主動カム補助爪
１６……鉄片レバー
１７……セット板
Ｍ……マグネット
Ｐ……プランジャー
Ｄ……駆動モータ
【図１】
0005366983.tif 000002
【図２】
0005366983.tif 000003
【図３】
0005366983.tif 000004
【図４】
0005366983.tif 000005
【図５】
0005366983.tif 000006
【図６】
0005366983.tif 000007
【図７】
0005366983.tif 000008
【図８】
0005366983.tif 000009
【図９】
0005366983.tif 000010
【図１０】
0005366983.tif 000011